(57)【要約】【課題】  エアゾール容器の廃棄に際し、ボタンを手でつかむことなく、ガス抜きし、かつボタンを取り外し除去すること。【解決手段】  ボタン３０を押すことで内容物をガスとともに噴出させるエアゾール容器１０にボタン３０を覆うように被せるキャップ４０であって、ガスを完全に抜くためにボタン３０を押した状態に固定するボタン固定部５０と、キャップ４０の外し動作時にボタン３０をステム２１より取り外すボタン除去部６０を備えるもの。【選択図】  図１
2008127068.tif 000002
【特許請求の範囲】
【請求項１】
ボタンを押すことで内容物をガスとともに噴出させるエアゾール容器にボタンを覆うように被せるキャップであって、ガスを完全に抜くためにボタンを押した状態に固定するボタン固定部と、キャップの外し動作時にボタンをステムより取り外すボタン除去部を備えるキャップ。
【請求項２】
前記ボタン除去部が、ボタンを側方より挟んで該ボタンをステムより取り外す請求項１記載のキャップ。
【請求項３】
前記ボタン除去部が、ステムの軸方向でボタンと係合して該ボタンをステムより取り外す請求項１記載のキャップ。
【請求項４】
ボタンを押すことで内容物をガスとともに噴出させるエアゾール容器であって、ボタンを覆うように被せるキャップを備え、該キャップを操作してボタンを押した状態に固定した後、キャップの外し動作時にボタンも併せてステムより取り外すよう構成されたエアゾール容器。
【発明の詳細な説明】
【技術分野】
【０００１】
本発明はエアゾール容器のキャップに関する。
【背景技術】
【０００２】
内容物をガスとともに充填したエアゾール容器では、ガスを完全に抜いた状態で廃棄するため、特許文献１に記載の如く、ボタンをステムから取り外した後、キャップの上面に設けた係合部でステムを押し下げ続け、ガス抜きするものがある。
【０００３】
また、特許文献２では、キャップに設けた押圧部でボタンを押し下げ続け、ガス抜きすることとしている。この場合、エアゾール容器の分別廃棄のため、ガス抜き後に、樹脂製ボタンを金属製容器の側のステムから取り外す必要がある。
【特許文献１】特許第2729163号
【特許文献２】特開2004-75161
【発明の開示】
【発明が解決しようとする課題】
【０００４】
特許文献１のエアゾール容器では、ガス抜きに際し、ボタンを手でつかんでステムから取り外す作業が必要になり、手を汚す不都合がある。
【０００５】
特許文献２のエアゾール容器では、ガス抜き後に、ボタンを手でつかんでステムから取り外す作業が必要であり、手を汚す不都合がある。
【０００６】
本発明の課題は、エアゾール容器の廃棄に際し、ボタンを手でつかむことなく、ガス抜きし、かつボタンを取り外し除去することにある。
【課題を解決するための手段】
【０００７】
請求項１の発明は、ボタンを押すことで内容物をガスとともに噴出させるエアゾール容器にボタンを覆うように被せるキャップであって、ガスを完全に抜くためにボタンを押した状態に固定するボタン固定部と、キャップの外し動作時にボタンをステムより取り外すボタン除去部を備えるようにしたものである。
【発明を実施するための最良の形態】
【０００８】
（実施例１）（図１〜図３）
図１のエアゾール容器１０は、内容物をガスとともに充填して封入した容器本体１１にエアゾールバルブ２０を設け、エアゾールバルブ２０のステム２１に嵌合したボタン３０を有し、ボタン３０を押して内容物をガスとともに噴射可能にする。エアゾール容器１０は、エアゾールバルブ２０及びボタン３０を覆うように被せるキャップ４０を有し、このキャップ４０をエアゾールバルブ２０のマウンティングカップ２２に着脱する。
【０００９】
エアゾール容器１０の容器本体１１としては、一重構造容器、二重構造容器、ピストン型容器等を採用できる。また、容器本体１１としては、金属製容器、ガラス製容器等の耐圧製容器を採用できる。ボタン３０及びキャップ４０は樹脂等にて形成される。
【００１０】
エアゾールバルブ２０としては、特に限定されないが、容器本体１１の上端開口部にシール部材を介してマウンティングカップ２２を取り付け、マウティングカップ２２の内部に噴射バルブを設けたものを採用できる。噴射バルブは、ハウジングと、ハウジングに設けられて連通孔を備えるステム２１と、ステム２１を外方へ付勢するスプリングと、ステム２１の外周に嵌装されてハウジングとマウンティングカップ２２に挟持されるステムラバーとから構成される。
ボタン３０は、ステム２１の連通孔に連通する噴射ノズル３１を備える。
【００１１】
キャップ４０は、容器本体１１からガスを完全に抜くためにボタン３０を押した状態に固定する樹脂製ボタン固定部５０と、キャップ４０の外し動作時にボタン３０をステム２１より取り外す樹脂製ボタン除去部６０を備える。ボタン固定部５０及びボタン除去部６０は、キャップ４０の天面の直径上に設けた孔状陥凹部４１に配設される。
【００１２】
ボタン固定部５０は、キャップ４０の陥凹部４１の中央丸孔部４１Ａに配置される押し込み円板５１と、押し込み円板５１の直径上の両側部をキャップ４０の外壁切欠部４２につなぐ薄板片５２と、押し込み円板５１の内側面の中央に突設した筒状突部５３を有する。ボタン固定部５０は押し込み円板５１の天面をキャップ４０の天面に面一とする原位置から、押し込み円板５１の外側面が手指により上から押し込まれると、押し込み円板５１が両側の薄板片５２を撓ませつつ陥凹部４１の内方に押し込まれる。押し込み端に達した押し込み円板５１は中央丸孔部４１Ａの孔壁から孔中心側に僅かに張り出ているストッパ４１Ｂを乗り越えて通過し、その後、手指を離しても、押し込み円板５１の外周縁がストッパ４１Ｂに係止してその押し込み端に保持される。従って、容器本体１１のマウンティングカップ２２にキャップ４０を取付けた状態で、押し込み円板５１を押し込み端に保持するとき、押し込み円板５１の内側面の突部５３がボタン３０の上端面に接してこれを押すものになる。ステム２１を付勢するスプリング力がボタン３０を介して押し込み円板５１とその突部５３をそれらの原位置に押し戻そうとするが、押し込み円板５１はストッパ４１Ｂに上述の如くに係止してその押し込み端に保持され、ボタン３０を押した状態に固定し、ガスを完全に抜く（図２）。
【００１３】
ボタン除去部６０は、ボタン固定部５０の押し込み円板５１の内側面で、突部５３の周囲に等間隔をなす複数位置に、ボタン固定部５０と一体に垂設した複数の挟み片６１（挟み片６１は突部５３の周囲に連続する環状体からなるものでも可）にて構成される。ボタン除去部６０の挟み片６１は、ボタン固定部５０の押し込み円板５１を押し込み端に保持したとき、ボタン３０の外周面に圧入し、ボタン３０の外周面を側方より挟む（図２）ことでボタン３０がキャップ４０に結合され、ボタン３０をキャップ４０が保持する。ボタン除去部６０は、挟み片６１がボタン３０の外周面に及ぼす摩擦力が、ボタン３０をステム２１から取り外す引抜き力より大きくなるように設定してある。このように設定したことで、キャップ４０の外し動作時に、ボタン３０とキャップ４０との結合が維持され、キャップ４０に結合しているボタン固定部５０と一体のボタン除去部６０は、挟み片６１により大きな摩擦力で挟んだボタン３０をステム２１より取り外す（図３）。
【００１４】
エアゾール容器１０は内容物の使い切り時に以下の如くに処置される。
(1)容器本体１１のマウティングカップ２２にキャップ４０を取付けた状態で、キャップ４０の陥凹部４１に配設してあるボタン固定部５０の押し込み円板５１を原位置（図１）から押し込み、押し込み円板５１の外周縁がストッパ４１Ｂに係止する押し込み端（図２）に保持する。これにより、ボタン固定部５０の突部５３がボタン３０を押した状態に固定し、ガスを容器本体１１から完全に抜く。
このとき、ボタン除去部６０の挟み片６１はボタン３０の外周面を側方より挟む。
【００１５】
(2)容器本体１１からのガス放出音がなくなったら、キャップ４０をマウティングカップ２２から取り外す。キャップ４０に結合しているボタン固定部５０と一体のボタン除去部６０が、挟み片６１により大きな摩擦力で挟んでいるボタン３０をステム２１より取り外す。これにより、金属製等の容器本体１１と、樹脂製等のボタン３０、キャップ４０、ボタン固定部５０、ボタン除去部６０とを分別廃棄できる。
【００１６】
本実施例によれば以下の作用効果を奏する。
(a)キャップ４０のボタン固定部５０により、ボタン３０を押した状態に固定してガス抜きできる。その後のキャップ４０の外し動作時に、キャップ４０のボタン除去部６０がボタン３０をステム２１から取り外す。従って、エアゾール容器１０の廃棄に際し、ボタン３０を手でつかむことなく、ガス抜きし、かつボタン３０を取り外し除去することができ、手を汚す不都合がない。
【００１７】
(b)キャップ４０のボタン除去部６０は、ボタン３０を側方より挟んで該ボタン３０をステム２１より確実に取り外しできる。
【００１８】
（実施例２）（図４〜図６）
実施例２は実施例１と異なる点は、ボタン固定部５０に設けたボタン除去部６０を樹脂製ボタン除去部７０に代えたことにある。ボタン除去部７０は、図４に示す如く、ボタン固定部５０の押し込み円板５１の内側面で、突部５３の周囲に等間隔をなす複数位置に、ボタン固定部５０と一体に垂設した複数の係合片７１（係合片７１は突部５３の周囲に連続する環状体からなるものでも可）にて構成される。ボタン除去部７０の係合片７１は、ボタン固定部５０の押し込み円板５１を押し込み端に保持したとき、先端爪７１Ａをステム２１の軸方向でボタン３０の下端面に係合する（図５）。キャップ４０の外し動作時に、キャップ４０に結合しているボタン固定部５０と一体のボタン除去部７０が、係合片７１の先端爪７１Ａと軸方向で係合しているボタン３０をステム２１より取り外す（図６）。
【００１９】
本実施例によれば、キャップ４０のボタン除去部７０は、ステム２１の軸方向でボタン３０と係合して該ボタン３０をステム２１より確実に取り外しできる。
【００２０】
（実施例３）（図７〜図９）
実施例３が実施例１と異なる点は、キャップ４０に代わる樹脂製キャップ８０を用い、キャップ８０に、容器本体１１からガスを完全に抜くためにボタン３０を押した状態に固定するとともに、キャップ８０の外し動作時にボタン３０をステム２１より取り外す樹脂製ボタン固定部兼ボタン除去部９０を備えたことにある。
【００２１】
ボタン固定部兼ボタン除去部９０は、図７に示す如く、キャップ８０の天面の中央に設けた孔部にカップ状体９１の開口縁部を取着し、カップ状体９１をキャップ８０の内部に納めて構成される。このとき、キャップ８０の天面には、マウンティングカップ２２に設けた環状体２２Ａが差し込みできる環状凹部８１が設けられ、環状体２２Ａの外周係止部２２Ｂが係止し得る環状爪部８２が環状凹部８１の底面上に垂設されている。
【００２２】
容器本体１１のマウンティングカップ２２からキャップ８０を取り外した状態で、逆さにした容器本体１１のボタン３０をキャップ８０が備えるボタン固定部兼ボタン除去部９０のカップ状体９１に圧入し、カップ状体９１によりボタン３０の外周面を側方より挟む。容器本体１１をボタン３０に対して押し込んだ状態で、該容器本体１１のマウンティングカップ２２に設けた環状体２２Ａをキャップ８０の環状凹部８１に差し込み、環状凹部８１の環状爪部８２を環状体２２Ａの外周係止部２２Ｂに係止し、ボタン３０を容器本体１１に対する押し込み端に保持する。ボタン３０をボタン固定部兼ボタン除去部９０のカップ状体９１に押し込み、容器本体１１をボタン３０に対し押し込んだとき、ステム２１を付勢するスプリング力が容器本体１１をボタン３０から押し戻そうとするが、容器本体１１はマウンティングカップ２２の外周係止部２２Ｂをキャップ８０の環状爪部８２に上述の如くに係止されて押し戻されず、ボタン３０を容器本体１１に対する押し込み端に保持するから、ボタン３０を押した状態に固定し、ガスを完全に抜く（図８）。カップ状体９１においてボタン３０の噴射ノズル３１の前面対応部には、ガス抜き窓９２が開口する。
【００２３】
ボタン固定部兼ボタン除去部９０は、カップ状体９１に圧入されたボタン３０の外周面をカップ状体９１により側方より挟み、カップ状体９１の内面がボタン３０の外周面に及ぼす摩擦力が、ボタン３０をステム２１から取り外す引抜き力より大きくなるように設定している。キャップ８０の環状爪部８２をマウンティングカップ２２の外周係止部２２Ｂから取り外す外し動作時に、キャップ８０に設けられているボタン固定部兼ボタン除去部９０は、カップ状体９１により大摩擦力で挟んでいるボタン３０をステム２１より取り外す（図９）。
【００２４】
エアゾール容器１０は内容物の使い切り時に以下の如くに処置される。
(1)容器本体１１のマウンティングカップ２２からキャップ８０を取り外した状態で、逆さにした容器本体１１のボタン３０をキャップ８０が備えるボタン固定部兼ボタン除去部９０のカップ状体９１に圧入し、マウンティングカップ２２の外周係止部２２Ｂをキャップ８０の環状爪部８２に係止し、ボタン３０を容器本体１１に対する押し込み端に保持する。これにより、ボタン３０を押した状態に固定し、ガスを容器本体１１から完全に抜く。
【００２５】
このとき、ボタン固定部兼ボタン除去部９０のカップ状体９１はボタン３０の外周面を側方より挟む。
【００２６】
(2)容器本体１１からのガス放出音がなくなったら、キャップ８０の環状爪部８２をマウンティングカップ２２の外周係止部２２Ｂから取り外す。キャップ８０に設けられているボタン固定部兼ボタン除去部９０は、カップ状体９１により大摩擦力で挟んでいるボタン３０をステム２１より取り外す。これにより、金属製等の容器本体１１と、樹脂製等のボタン３０、キャップ８０、ボタン固定部兼ボタン除去部９０とを分別廃棄できる。
【００２７】
本実施例によれば以下の作用効果を奏する。
(a)キャップ８０のボタン固定部兼ボタン除去部９０により、ボタン３０を押した状態に固定してガス抜きできる。その後のキャップ８０の外し動作時に、キャップ８０のボタン固定部兼ボタン除去部９０がボタン３０をステム２１から取り外す。従って、エアゾール容器１０の廃棄に際し、ボタン３０を手でつかむことなく、ガス抜きし、かつボタン３０を取り外し除去することができ、手を汚す不都合がない。
【００２８】
(b)キャップ８０のボタン固定部兼ボタン除去部９０は、ボタン３０を側方より挟んで該ボタン３０をステム２１より確実に取り外しできる。
【図面の簡単な説明】
【００２９】
【図１】図１は実施例１のエアゾール容器の通常製品状態を示す模式断面図である。
【図２】図２はガス抜き状態を示す模式断面図である。
【図３】図３はキャップ外し状態を示す模式断面図である。
【図４】図４は実施例２のエアゾール容器の通常製品状態を示す模式断面図である。
【図５】図５はガス抜き状態を示す模式断面図である。
【図６】図６はキャップ外し状態を示す模式断面図である。
【図７】図７は実施例３のエアゾール容器の通常製品状態を示す模式断面図である。
【図８】図８はガス抜き状態を示す模式断面図である。
【図９】図９はキャップ外し状態を示す模式断面図である。
【符号の説明】
【００３０】
１０  エアゾール容器
３０  ボタン
４０、８０  キャップ
５０  ボタン固定部
６０、７０  ボタン除去部
９０  ボタン固定部兼ボタン除去部
【図１】
2008127068.tif 000003
【図２】
2008127068.tif 000004
【図３】
2008127068.tif 000005
【図４】
2008127068.tif 000006
【図５】
2008127068.tif 000007
【図６】
2008127068.tif 000008
【図７】
2008127068.tif 000009
【図８】
2008127068.tif 000010
【図９】
2008127068.tif 000011